【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】
大型プリンタの給紙部の本体に開閉自在に取り付けられ，前記給紙部にセットされたロール紙を覆うロール紙カバーであって，前記給紙部にセットされたロール紙の円筒形状に沿った曲面形状を備え，前記開閉が，前記給紙部にセットされたロール紙の軸心とほぼ同じ位置に配置された回動中心を中心に回動することにより行われ，ロール紙をセットするための開口部が，該ロール紙カバーを開くことにより前記給紙部の前方側に形成され，前記回動中心が，前記ロール紙の軸心の位置から後方側に偏倚して配置されている，ことを特徴とする大型プリンタのロール紙カバー。
【請求項２】
大型プリンタの給紙部の本体に開閉自在に取り付けられ，前記給紙部にセットされたロール紙を覆うロール紙カバーであって，前記給紙部にセットされたロール紙の円筒形状に沿った曲面形状を備え，前記開閉が，前記給紙部にセットされたロール紙の軸心とほぼ同じ位置に配置された回動中心を中心に回動することにより行われ，該ロール紙カバーの前面が，前記給紙部のロール紙を含む印刷用紙の給送方向とほぼ同じ方向に形成された平坦部を備え，前記給紙部における前記平坦部の延長線上に位置する部分に，前記印刷用紙を給送する給送経路につながる間隙が形成されている，ことを特徴とする大型プリンタのロール紙カバー。
【請求項３】
請求項２において，ロール紙をセットするための開口部が，該ロール紙カバーを開くことにより前記給紙部の前方側に形成され，前記回動中心が，前記ロール紙の軸心の位置から後方側に偏倚して配置されている，ことを特徴とする大型プリンタのロール紙カバー。
【請求項４】
請求項１から３のいずれか１項において，ロール紙をセットするための開口部が，該ロール紙カバーを開くことにより前記給紙部の前方側に形成され，該ロール紙カバーの後端部と，前記給紙部の本体または前記給紙部から給送されたロール紙を含む印刷用紙に印刷を行う印刷部との間に，開いた状態で，操作者の手が挟まれない程度の間隙が形成される，ことを特徴とする大型プリンタのロール紙カバー。
【請求項５】
請求項１から４のいずれか１項に記載の大型プリンタのロール紙カバーを備えていることを特徴とする大型プリンタ。
【手続補正２】
【補正対象書類名】明細書
【補正対象項目名】０００７
【補正方法】変更
【補正の内容】
【０００７】
【課題を解決するための手段】
前記課題を達成するために，本願請求項１に記載の発明に係る大型プリンタのロール紙カバーは，大型プリンタの給紙部の本体に開閉自在に取り付けられ，前記給紙部にセットされたロール紙を覆うロール紙カバーであって，前記給紙部にセットされたロール紙の円筒形状に沿った曲面形状を備え，前記開閉が，前記給紙部にセットされたロール紙の軸心とほぼ同じ位置に配置された回動中心を中心に回動することにより行われ，ロール紙をセットするための開口部が，該ロール紙カバーを開くことにより前記給紙部の前方側に形成され，前記回動中心が，前記ロール紙の軸心の位置から後方側に偏倚して配置されている，ことを特徴とする。
【手続補正３】
【補正対象書類名】明細書
【補正対象項目名】０００８
【補正方法】変更
【補正の内容】
【０００８】
本願請求項１に記載の発明によると，ロール紙カバーは，給紙部にセットされたロール紙の円筒形状に沿った曲面形状を備え，開閉は，給紙部にセットされたロール紙の軸心とほぼ同じ位置に配置された回動中心を中心に回動することにより行われる。したがって，ロール紙カバーは，閉じた状態，開閉途中および開いた状態のいずれであっても，ロール紙の円筒形状にほぼ沿った形状を有する，ほぼ同じ位置の同じスペースを占有するに過ぎない。これにより，ロール紙カバーの占有スペースを小さくすることができる。  
また，回動中心が，ロール紙の軸心の位置から後方側に偏倚して配置されているので，ロール紙カバーは，回動とともに，回動中心の偏倚量だけ後方に移動して行く。したがって，開いた状態で前方側に形成される開口部も，回動中心の偏倚量だけ後方に移動して形成されることとなり，開口部を後方に移動した量だけ大きく形成することができる。これにより，該開口部を介してロール紙のセットおよび取り出しを行いやすくすることができる。
【手続補正４】
【補正対象書類名】明細書
【補正対象項目名】０００９
【補正方法】変更
【補正の内容】
【０００９】
本願請求項２に記載の発明に係る大型プリンタのロール紙カバーは，大型プリンタの給紙部の本体に開閉自在に取り付けられ，前記給紙部にセットされたロール紙を覆うロール紙カバーであって，前記給紙部にセットされたロール紙の円筒形状に沿った曲面形状を備え，前記開閉が，前記給紙部にセットされたロール紙の軸心とほぼ同じ位置に配置された回動中心を中心に回動することにより行われ，該ロール紙カバーの前面が，前記給紙部のロール紙を含む印刷用紙の給送方向とほぼ同じ方向に形成された平坦部を備え，前記給紙部における前記平坦部の延長線上に位置する部分に，前記印刷用紙を給送する給送経路につながる間隙が形成されている，ことを特徴とする。  
本願請求項２に記載の発明によると，該ロール紙カバーの前面が，給紙部のロール紙を含む印刷用紙の給送方向とほぼ同じ方向に形成された平坦部を備え，給紙部における平坦部の延長線上に位置する部分に，印刷用紙を給送する給送経路につながる間隙が形成されているので，ロール紙カバーの前面を，単票紙等の印刷用紙をセットし，給送経路に案内するガイド板として兼用することができる。これにより，単票紙等の印刷用紙のガイド板を新たに設ける必要がなく，製造コストの増加を抑えることができる。
【手続補正５】
【補正対象書類名】明細書
【補正対象項目名】００１０
【補正方法】変更
【補正の内容】
【００１０】
本願請求項３に記載の発明に係る大型プリンタのロール紙カバーは，請求項２において，ロール紙をセットするための開口部が，該ロール紙カバーを開くことにより前記給紙部の前方側に形成され，前記回動中心が，前記ロール紙の軸心の位置から後方側に偏倚して配置されている，ことを特徴とする。  
本願請求項３に記載の発明によると，回動中心が，ロール紙の軸心の位置から後方側に偏倚して配置されているので，ロール紙カバーは，回動とともに，回動中心の偏倚量だけ後方に移動して行く。したがって，開いた状態で前方側に形成される開口部も，回動中心の偏倚量だけ後方に移動して形成されることとなり，開口部を後方に移動した量だけ大きく形成することができる。これにより，該開口部を介してロール紙のセットおよび取り出しを行いやすくすることができる。
【手続補正６】
【補正対象書類名】明細書
【補正対象項目名】００１１
【補正方法】変更
【補正の内容】
【００１１】
本願請求項４に記載の発明に係る大型プリンタのロール紙カバーは，請求項１から３において，ロール紙をセットするための開口部が，該ロール紙カバーを開くことにより前記給紙部の前方側に形成され，該ロール紙カバーの後端部と，前記給紙部の本体または前記給紙部から給送されたロール紙を含む印刷用紙に印刷を行う印刷部との間に，開いた状態で，操作者の手が挟まれない程度の間隙が形成される，ことを特徴とする。
【手続補正７】
【補正対象書類名】明細書
【補正対象項目名】００１３
【補正方法】変更
【補正の内容】
【００１３】
本願請求項４に記載の発明によると，ロール紙カバーの後端部と，給紙部の本体または給紙部から給送されたロール紙を含む印刷用紙に印刷を行う印刷部との間に，開いた状態で，操作者の手が挟まれない程度の間隙が形成されるので，ロール紙カバーを閉じた状態から開いた状態に回動させた場合に，操作者が手を挟むおそれはない。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】